(57)【要約】【課題】指先で点字列を任意の速度でなぞりながら点字を読み取る場合と同様な触覚で点字を呈示可能な点字表示装置を提案すること。【解決手段】点字表示装置１は、左右にスライド可能なスライダ７の上面に形成された触角呈示面８に点字一文字を６点により呈示可能な６本の点字ピン１１（１）〜１１（６）が配列されている。触覚呈示面８に載せた指先によりスライダ７を左右に押すと、当該触覚呈示面８に対応する仮想枠３１が仮想平面３３上の点字列３０に沿ってスライダ７を移動させた側に向けて、移動量に対応した速度で移動する。仮想枠３１内に入った点字構成用の点に対応する位置の点字ピンが触覚呈示面８から突出する。この結果、指先で点字列をなぞりながら点字を読み取る場合と同様な触覚を、触覚呈示面８に載せた指先に与えることができる。【選択図】      図１
2004184691.tif 000002
【特許請求の範囲】
【請求項１】
少なくとも点字一文字を表示可能な本数の点字ピンと、
これらの点字ピンが配列されている触覚呈示面と、
前記点字ピンを駆動制御する点字ピン駆動制御手段と、
少なくとも１行分の点字情報が記憶された記憶手段と、
前記記憶手段に記憶保持されている点字が配列されている仮想平面上を移動する前記触覚呈示面に対応する仮想枠の移動方向を指定する移動方向指定手段とを有し、
前記点字ピン駆動制御手段は、前記仮想枠が前記仮想平面上を前記移動方向に移動した場合に、当該仮想枠内に入った点字構成用の各点に対応する前記点字ピンが前記触覚呈示面から突出し、当該仮想枠から外れた点字構成用の各点に対応する前記点字ピンが前記触覚呈示面よりも後退するように、各点字ピンを駆動することを特徴とする点字表示装置。
【請求項２】
請求項１において、
前記移動方向は点字行に沿った方向であることを特徴とする点字表示装置。
【請求項３】
請求項１または２において、
前記点字ピン駆動制御手段は、前記触覚呈示面から突出させた点字ピンを振動させることを特徴とする点字表示装置。
【請求項４】
請求項１、２または３において、
前記移動方向指定手段は、前記触覚呈示面の中立位置からの偏倚方向に基づき、前記移動方向を表す信号を発生するものであることを特徴とする点字表示装置。
【請求項５】
請求項１、２または３において、
前記移動方向指定手段は、転動体の回転方向に基づき、前記移動方向を表す信号を発生するものであることを特徴とする点字表示装置。
【請求項６】
請求項１ないし５のうちのいずれかの項において、
前記触覚呈示面に対応する前記仮想枠の移動速度を指定する移動速度指定手段を有していることを特徴とする点字表示装置。
【請求項７】
請求項６において、
前記移動速度指定手段は、前記触覚呈示面の中立位置からの偏倚量に基づき、前記移動速度を表す信号を発生するものであることを特徴とする点字表示装置。
【請求項８】
請求項６において、
前記移動速度指定手段は、転動体の回転速度に基づき、前記移動速度を表す信号を発生するものであることを特徴とする点字表示装置。
【請求項９】
請求項１ないし８のうちのいずれかの項において、
前記点字ピン駆動制御手段は、前記仮想枠内を通過する点字構成用の点に対応する各点字ピンの突出量、振動振幅、および振動強度のうち、少なくとも一つを、当該仮想枠内の位置に応じて変化させることを特徴とする点字表示装置。
【請求項１０】
請求項９において、
前記点字ピン駆動制御手段は、前記仮想枠内を通過する点字構成用の点に対応する各点字ピンの突出量、振動振幅、および振動強度を、点字一文字が当該仮想枠の中心に位置した時点で最大となるように制御することを特徴とする点字表示装置。
【請求項１１】
請求項９において、
前記点字ピン駆動制御手段は、前記仮想枠内を通過する点字構成用の点に対応する各点字ピンの突出量、振動振幅、および振動強度を、点字一文字が正規に意味を持つ状態の時点で最大となり、点字の意味をなさない通過点ではそれよりも少ないまたは弱くなるように制御することを特徴とする点字表示装置。
【発明の詳細な説明】
【０００１】
【発明の属する技術分野】
本発明は、複数本の点字ピンが配列された触覚呈示面に触れた指先に対して、各点字ピンを選択的に駆動して、点字情報の呈示を行う点字表示装置に関するものである。
【０００２】
【従来の技術】
６点または８点で一文字が構成される点字情報を、触覚呈示面に配列された複数本の点字ピンを選択的に触覚呈示面から突出させることにより呈示可能とした点字表示装置が提案されている。例えば、下記の特許文献１には、点字一文字を呈示可能な触覚呈示面を備え、点字一文字ずつ順次に切り換えて呈示する点字情報伝達装置が提案されている。
【０００３】
しかし、この点字情報伝達装置では、点字間の部分を呈示することができないので、指先に伝わる点字の触覚は、点字行に沿って指先をなぞりながら点字を読む場合に得られる場合とは異なっている。
【０００４】
点字間の空白部分などを呈示するための装置としては、下記の特許文献２に記載された点字情報伝達装置が知られている。この点字情報伝達装置では、点字ピンを、点字情報呈示状態とは異なる振動形態で振動させることにより、指先に点字間の空白部分などを呈示するようにしている。
【０００５】
【特許文献１】
特開平１０−１０５０４８号公報
【特許文献２】
特開平１０−３０１４８０号公報
【０００６】
【発明が解決しようとする課題】
しかしながら、点字ピンを異なる形態で振動させて点字間の空各部分などを呈示した場合には、それにより得られる触覚は、指先で点字列をなぞった場合に得られる実際の触覚とは相当に異なったものになる。このために、かかる呈示により得られる触覚に慣れる訓練が必要となり、不便である。
【０００７】
本発明の課題は、このような点に鑑みて、指先で点字例をなぞりながら点字を読む場合と同様な触覚で、点字を順次に呈示可能な点字表示装置を提案することにある。
【０００８】
【課題を解決するための手段】
上記の課題を解決するために、本発明の点字表示装置は、
少なくとも点字一文字を表示可能な本数の点字ピンと、
これらの点字ピンが配列されている触覚呈示面と、
前記点字ピンを駆動制御する点字ピン駆動制御手段と、
少なくとも１行分の点字情報が記憶された記憶手段と、
前記記憶手段に記憶保持されている点字が配列されている仮想平面上を移動する前記触覚呈示面に対応する仮想枠の移動方向を指定する移動方向指定手段とを有し、
前記点字ピン駆動制御手段は、前記仮想枠が前記仮想平面上を前記移動方向に移動した場合に、当該仮想枠内に入った点字構成用の各点に対応する前記点字ピンが前記触覚呈示面から突出し、当該仮想枠から外れた点字構成用の各点に対応する前記点字ピンが前記触覚呈示面よりも後退するように、各点字ピンを駆動することを特徴としている。
【０００９】
本発明の点字表示装置においては、触覚呈示面に対応する仮想枠が点字が配列されている仮想平面上を移動し、仮想枠内に入った点字構成用の点に対応する触覚呈示面上の点字ピンが突出する。従って、指先を点字が配列されている平面に沿ってなぞった場合と同様に、点字構成用の各点が順次に仮想枠を通過する。換言すると、点字構成用の各点が触覚呈示面を通過する。よって、触覚呈示面に触れている指先には、恰も指先で点字をなぞった場合と同様な触覚が得られる。また、印字行に沿った方向に順次に点字を読むことができると共に、逆方向に戻って点字を読むことも可能である。
【００１０】
ここで、前記移動方向は一般には点字行に沿った方向とすればよい。
【００１１】
また、前記点字ピン駆動制御手段により、前記触覚呈示面から突出させた点字ピンを振動させるようにすれば、点字ピンが突出状態のまま静止している場合に比べて、突出している点字ピンをより明確に感じ取ることができる。
【００１２】
次に、前記移動方向指定手段は、前記触覚呈示面の中立位置からの偏倚方向に基づき、前記移動方向を表す信号を発生する構成のものとすることができる。この代わりに、前記移動方向指定手段は、転動体の回転方向に基づき、前記移動方向を表す信号を発生する構成のものとすることもできる。
【００１３】
一方、前記触覚呈示面に対応する前記仮想枠の移動速度を指定する移動速度指定手段を有していることが望ましい。
【００１４】
この移動速度指定手段としては、前記触覚呈示面の中立位置からの偏倚量に基づき、前記移動速度を表す信号を発生する構成のものを用いることができる。あるいは、この移動速度指定手段として、転動体の回転速度に基づき、前記移動速度を表す信号を発生する構成のものを用いることができる。
【００１５】
次に、前記点字ピン駆動制御手段は、前記仮想枠内を通過する点字構成用の点に対応する各点字ピンの突出量、振動振幅、および振動強度のうち、少なくとも一つを、当該仮想枠内の位置に応じて変化させることが望ましい。
【００１６】
例えば、点字を構成している実際の点は半球状の突起であるので、前記点字ピン駆動制御手段は、前記仮想枠内を通過する点字構成用の点に対応する各点字ピンの突出量、振動振幅、および振動強度を、点字一文字が当該仮想枠の中心に位置した時点で最大となるように制御することが望ましい。このようにすれば、実際の点字を指でなぞる場合と同様な触覚を呈示することができる。
【００１７】
また、前記点字ピン駆動制御手段は、前記仮想枠内を通過する点字構成用の点に対応する各点字ピンの突出量、振動振幅、および振動強度を、点字一文字が正規に意味を持つ状態の時点で最大となり、点字の意味をなさない通過点ではそれよりも少ないまたは弱くなるように制御することが望ましい。
【００１８】
【発明の実施の形態】
以下に、図面を参照して、本発明を適用した点字ピン表示装置の実施の形態を説明する。
【００１９】
（実施の形態１）
図１（ａ）は実施の形態１に係る点字表示装置を示す概略構成図であり、図１（ｂ）はその制御系を示す概略ブロック図である。また、図２は触覚呈示動作の一例を示す説明図である。
【００２０】
まず、図１（ａ）を参照して説明すると、点字表示装置１は、触覚呈示ユニット２と、この触覚呈示ユニット２に通信用ケーブル３を介して接続されている制御ユニット４から基本的に構成されている。
【００２１】
触覚呈示ユニット２は、扁平な直方体形状をしたユニットケース５を備え、このユニットケース５の上面には一定の深さの矩形開口部６が形成されている。この矩形開口部６の前後の内周側面にはスライド溝６ａ、６ｂが形成されており、これらのスライド溝６ａ、６ｂに沿って左右（矢印方向）にスライド自在の状態で直方体形状のスライダ７が支持されている。このスライダ７の上面が長方形の平坦な触覚呈示面８とされている。
【００２２】
スライダ７と、矩形開口部６の左右の内周側面との間には圧縮状態でばね部材９ａ、９ｂが配置されており、これらのばね部材９ａ、９ｂによって、スライダ７は常にその中立位置（図示の位置）７Ｎに保持されている。触覚呈示面８に載せた指先によってスライダ７を左右に移動させることが可能であり、スライダ７の左右の移動方向および移動量、すなわち中立位置からの偏位方向および偏位量が、検出器１０によって検出可能となっている。検出器１０は、スライダ７の側に取り付けた被検出素子１０ａと、ユニットケース５の側に取り付けた検出素子１０ｂから構成されている。
【００２３】
スライダ７の触覚呈示面８には、複数本の点字ピンが垂直姿勢でマトリック状に配列されている。本実施の形態では６本の点字ピン１１（１）〜１１（６）が一定のピッチで３行２列に配列されている。これらの点字ピン１１（１）〜１１（６）は、上下方向に移動可能な状態でスライダ７によって支持されている。また、各点字ピン１１（１）〜１１（６）は、ボイスコイルなどの駆動部１２（１）〜１２（６）によって駆動され、触覚呈示面７から上方に突出した突出位置と、触覚呈示面８よりも下方に退避した退避位置との間を移動可能である。
【００２４】
図１（ｂ）も参照して説明すると、制御ユニット４は、マイクロコンピュータを中心に構成された点字ピン駆動制御部２１と、１行分の点字情報が保持されているラスタメモリ２２と、触覚呈示面８に対応する仮想枠の移動方向を表す信号を発生する移動方向検出部２３と、仮想枠の移動速度を表す信号を発生する移動速度検出部２４とを備えている。点字ピン駆動制御部２１は、ラスタメモリ２２に保持されている１行分の点字が配列されている仮想平面上を仮想枠が移動した場合に、当該仮想枠に入った点字構成用の各点に対応する点字ピン１１（１）〜１１（６）が触覚呈示面８から突出し、当該仮想枠から外れた点字構成用の各点に対応する点字ピン１１（１）〜１１（６）が触覚呈示面８から退避するように、ドライバ２５を介して、各点字ピンの駆動部１２（１）〜１２（６）を駆動制御する。
【００２５】
移動方向検出部２３は、触覚呈示ユニット２の検出器１０からの検出信号に基づき、仮想枠の移動方向を表す信号を発生する。スライダ７がその中立位置７Ｎから矢印Ｆの方向に偏位すると、仮想枠を点字列に沿ってその順方向に移動させるための信号を発生する。逆に、スライダ７が中立位置７Ｎから矢印Ｒの方向に偏位すると、仮想枠を点字列に沿ってその逆方向に移動させるための信号を発生する。移動速度検出部２４も、触覚呈示ユニット２の検出器１０からの検出信号に基づき仮想枠の移動速度を表す信号を発生する。スライダ７の中立位置７Ｎからの偏位量が少ない場合には遅い移動速度を表す信号を発生し、偏位量が多い程、速い移動速度を表す信号を発生する。
【００２６】
点字ピン駆動制御部２１では、仮想枠を点字行の先頭位置に初期設定し、移動方向検出部２３、移動速度検出部２４からの信号に基づき、仮想平面に配列されている点字列上における仮想枠の移動位置を求める。そして、仮想枠内に位置している各点字構成用の各点に対応する点字ピン１１（１）〜１１（６）を駆動制御する。
【００２７】
（触覚呈示動作の例）
図２（ａ）に示すように、ラスタメモリ２２に記憶保持されている点字列３０は、その先頭から「あ」「い」「う」「え」「お」・・・の順序で点字が並んでいるものとする。初期設定時には、図２（ｂ）に示すように、触覚呈示面８に対応する仮想枠３２は点字列３０が形成されている仮想平面３３上の先頭の点字「あ」の領域に位置している。この状態において、触覚呈示面８では、点字「あ」を構成している１個の点３４（１）に対応する点字ピン１１（１）が触覚呈示面８から突出しており、それ以外の点字ピン１１（２）〜１１（６）は退避している。従って、触覚呈示面８に指先を触れることにより「あ」を読み取ることができる。
【００２８】
この状態において、指先で触覚呈示面８を矢印Ｆ（図１（ａ））の方向に押すと、当該触覚呈示面８が形成されているスライダ７を同一方向に所定量だけ移動させることができる。スライダ７はばね力によってその中立位置７Ｎに保持されているので、指先に加える力を増減することにより、スライダ７の移動量を変えることができる。換言すると、中立位置７Ｎからの偏位量を変えることができる。矢印Ｆの方向にスライダ７が押されると、仮想枠３２の移動方向は点字列３０に沿った順方向であることが、移動方向検出部２３によって検出される。また、偏位量に基づき、仮想枠３２の移動速度が移動速度検出部２４によって検出される。点字ピン駆動制御部２１では、検出された方向に向けて仮想枠３２を検出された移動速度で移動させる。
【００２９】
この結果、図２（ｃ）に示すように、仮想枠３２が順方向に移動して、その右端に次の点字「い」を構成している２個の点３４（２）、３４（３）が入る。この状態では、点字駆動制御部２１によって、これらの点に対応する点字ピン１１（４）、１１（５）が突出し、仮想枠３２から外れた点字「あ」を表す点字ピン１１（１）は後退する。図２（ｄ）は点字「い」が仮想枠３２の中心に位置した状態を示してある。この状態では、点３４（２）、３４（３）に対応する点字ピン１１（１）、１１（２）が突出した状態になっている。ここで、スライダ７を矢印Ｆに押している力を解除すると、スライダ７は中立位置７Ｎに戻り、仮想枠３２の移動速度は零となり、触覚呈示面８には点字「い」が呈示された状態になる。
【００３０】
ここで、図３には、図２に示す各状態における点字の突出状態を示す説明図である。まず、図３（ｅ）は点字の側断面図であり、通常の日本の点字では点字一文字内の点の間隔は約２．２ｍｍ、文字間の点の間隔は約３．２ｍｍである。図３（ａ）は、図２（ａ）に示す点字における実際の断面状態を表すために、線分Ａ−Ａ’で切断した場合の側断面図であり、「あ」と「い」の一行目の点３４（１）と３４（２）が表示されている。図３（ｂ１）は図２（ｂ）の状態にあるスライダ７の側断面図であり、点３４（１）に対応して点字ピン１１（１）が突き出し、点字ピン１１（４）は後退しており、「あ」の一行目を表している。図３（ｃ）は図２（ｃ）の状態にあるスライダ７の側断面図であり、図２（ｂ）から図２（ｄ）への通過の状態を表し、点３４（２）に対応して点字ピン１１（４）が突き出し、点字ピン１１（１）は後退している。
【００３１】
図３（ｂ２）は図３（ｂ１）から図３（ｃ）への通過の状態を表す側断面図であり、点字ピン１１（１）および点字ピン１１（４）に対応する点が存在しないので、両者ともに後退している。図３（ｄ）は図２（ｄ）の状態にあるスライダ７の側断面図であり、点３４（２）に対応して点字ピン１１（１）が突き出し、点字ピン１１（４）は後退しており、「い」の一行目を表している。
【００３２】
次に、スライダ７を矢印Ｆの方向に再度押すと、仮想枠３２も移動して、図２（ｅ）で示すように、点字「い」が仮想枠３２からはずれ、次の点字「う」を構成している１個の点３３（４）が仮想枠３２の右上隅に入る。この状態では、この点３３（４）に対応した位置にある点字ピン１１（４）が突出位置に移動し、それ以外の点字ピンは後退位置に保持される。さらに仮想枠３２を移動させると、仮想枠３２の中に２個の点３３（４）、３３（５）が位置し、これらに対応した位置にある点字ピン１１（１）、１１（４）が突出位置に移動して、触覚呈示面８には点字「う」を呈示した状態が形成される。
【００３３】
ここで、図２（ｅ）の状態、すなわち、点字「い」と「う」の間の状態において、スライダ７を矢印Ｒで示す逆方向に押して、その中立位置７Ｎよりも矢印Ｒの方向に偏位させると、その偏位量に対応する移動速度で仮想枠３２が逆方向に移動する。この結果、図２（ｆ）に示すように、仮想枠３２の中に、再び、点字「い」を表す２個の点３３（２）、３３（３）が入り、これらの位置に対応する点字ピン１１（１）、１１（２）が突出位置に移動して、触覚呈示面８には点字「い」が再び呈示された状態に戻る。
【００３４】
このように、本実施の形態に係る点字表示装置１では、スライダ７を左右に押すことにより、すなわち、その上面に形成されている触覚呈示面８を左右に押すことにより、触覚呈示面８には点字ピン１１（１）〜１１（６）が選択的に突出して、実際に１行分の点字をなぞる場合と同様な触覚で、点字が順次に呈示される。特に、点字間の空白位置においては、例えば図２（ｅ）に示すように、実際に指先が点字「い」と「う」の間に位置した場合と同様な点字配列状態が触覚呈示面８上に形成されるので、空白位置も、指先で点字をなぞる場合と同様な触覚で呈示できる。また、点字を逆方向になぞる場合と同様に、逆方向に向けても点字を読み直すことも可能である。さらには、スライダ７の偏位量に応じて仮想枠３２の移動速度が増減するので、希望する速度で、触覚呈示面８上に点字を順次に呈示させることができる。
【００３５】
（触覚呈示ユニットの別の例）
図４は、上記の触覚呈示ユニット２の別の例を示す説明図である。この触覚呈示ユニット４０は、ユニットケース４１と、このユニットケース４１の上面における中央部分に形成した一段高い位置にある触覚呈示面４２と、触覚呈示面４２に配列した複数本の点字ピン、例えば６本の点字ピン１１（１）〜１１（６）と、ユニットケース４１の底面に回転自在の状態で取り付けられている円柱、円筒、球体などからなる転動体４３とを備えている。この転動体４３は、矢印ＦおよびＲの方向にユニットケース４１を押すと、これに伴って回転可能となっている。転動体４３の外周位置には検出器４４が配置されており、この検出器４４によって転動体４３の回転方向および回転速度が検出される。
【００３６】
この構成の触覚呈示ユニット４０を、図１に示す点字表示装置１における触覚呈示ユニット２の代わりに用いた場合には、検出器４４によって検出される回転方向によって触覚呈示面４２に対応する仮想枠３２の移動方向が検出され、その回転速度から仮想枠３２の移動速度が検出される。従って、かかる構成の触覚呈示ユニット４０を用いた場合においても、図１の場合と同様に、触覚呈示面８上に点字情報を呈示可能である。
【００３７】
また、本例の触覚呈示ユニット２では、触覚呈示ユニット２を、コンピュータ入力用のマウスと同様に実際に移動させることにより、触覚呈示面８上に順次に点字が表示される。従って、上記の場合と同様の作用効果を得ることができる。また、本例では、指先Ｐの実際の移動に伴って触覚呈示面８上に点字が順次に表示されるので、実際に点字列を指先でなぞる場合に近い感覚で点字情報を呈示することができる。
【００３８】
次に、図５には、図１の触覚呈示ユニット２の変形例を示してある。この触覚呈示ユニット５０は、ユニットケース５１によって揺動台５２が軸５３を中心として左右に揺動自在に支持されている。揺動台５２は左右一対のばね部材５４、５５によって中立位置に保持されている。揺動台５２の上面には矩形の触覚呈示面５６が形成されており、ここに、６本の点字ピン１１（１）〜１１（６）が配列されている。また、揺動台５２には検出器５７が取り付けられ、揺動台５２の揺動方向（偏位方向）および揺動量（偏位量）を検出可能となっている。
【００３９】
この構成の触覚呈示ユニット５０を、図１の触覚呈示ユニット２の代わりに用いることができる。
【００４０】
（点字ピンの駆動形態）
次に、上記の点字表示装置１では、仮想枠３２内に入った点字構成用の点に対応する位置にある点字ピン１１（１）〜１１（６）を突出位置に移動し、それ以外を触覚呈示面８から後退した位置に保持している。実際に指先で点字をなぞる場合には、各点字を構成している点（実点字）は、図６（ａ）に示すように、半球状をしている。従って、これに対応するように、点字ピン１１（１）〜１１（６）の突出量を制御すれば、実際に点字をなぞる場合に得られる触覚により近い触角を呈示することが可能になる。
【００４１】
例えば、点字「う」を呈示する場合には、仮想枠３２の中心に点字「う」が位置した状態、すなわち、図６（ｄ）の状態において点字ピン１１（１）、１１（４）の突出量を最大とし、図６（ｃ）に示すように中心から左右に所定量外れた位置から中心に向けて突出量を漸増させ、図６（ｅ）に示すようにそれ以外の状態では触覚呈示面８から後退させた位置に保持するようにする。この結果、点字ピンは図６（ｂ）に示す仮想断面を描くことになり、実際の点字を構成している各点の断面形状に類似したものとなる。
【００４２】
ここで、点字ピンの突出量を増減する代わりに、点字ピンを振動させ、その振動振幅および／または振動数を制御するようにしてもよい。
【００４３】
また、図６（ｄ）や図３（ｂ１）、図３（ｄ）は点字の意味を持つ点字ピンの状態であるが、図６（ｃ）や図３（ｃ）は点字ピンが突き出てはいるもの、通過点を示す意味を持たない過渡的な状態である。この意味を持つ状態と意味を持たない状態を区別するために、意味を持つ状態では前記各点字ピンの突出量、振動振幅、および振動強度を最大とし、それ以外では量を少なくまたは弱くなるように制御すれば、よりはっきりとした情報を提供できる。
【００４４】
【発明の効果】
以上説明したように、本発明の点字表示装置は、点字ピンが配列された触覚呈示面の移動方向を入力可能とし、入力された移動方向に触覚呈示面に対応する仮想枠を仮想平面上の点字列に沿って移動させ、仮想枠に入る点字を構成している点に対応する点字ピンを順次に駆動するようにしている。従って、指先で点字列を実際になぞった場合と同様な触覚を呈示することができ、特に、点字間の空間部分を表す触覚呈示も行うことができる。また、点字列を逆方向になぞった場合と同様な触覚呈示を行うことができるので、点字の読み直し動作も、指先で点字列をなぞった場合と同様に行うことができる。
【００４５】
次に、点字ピンが配列された触覚呈示面の移動速度も入力可能にした場合には、任意の読取速度で点字を読み取ることができるので、極めて便利である。
【００４６】
また、触覚呈示面に対応する仮想枠の中心に点字一文字を構成している点字ピンが位置した場合に、点字ピンの突出量、その振動振幅や振動数を最大となるようにすれば、ほぼ半球状の点により構成されている実際の点字を指先でなぞる場合により近い触角を呈示できるという効果が得られる。
【図面の簡単な説明】
【図１】本発明を適用した点字表示装置の実施の形態を示す概略構成図、およびその制御系を示す概略ブロック図である。
【図２】（ａ）〜（ｆ）は、図１の点字表示装置の動作例を示す説明図である。
【図３】（ａ）〜（ｅ）は、図２における各状態での点字ピンの突出状態を示すための説明図である。
【図４】（ａ）および（ｂ）は、図１の点字表示装置における触覚呈示ユニットの別の例を示す説明図である。
【図５】図１の点字表示装置における触覚呈示ユニットのさらに別の例を示す説明図である。
【図６】（ａ）〜（ｅ）は、図１の点字表示装置における点字ピンの駆動形態の別の例を示す説明図である。
【符号の説明】
１    点字表示装置
２、４０、５０    触覚呈示ユニット
３    ケーブル
４    制御ユニット
５、４１、５１    ユニットケース
６    開口部
７    スライダ
８、４２、５６    触覚呈示面
９ａ、９ｂ  ばね
１０、４４、５７  検出部
１１（１）〜１１（６）  点字ピン
１２（１）〜１２（６）  駆動部
２１  点字ピン駆動制御部
２２  ラスタメモリ
２３  移動方向検出部
２４  移動速度検出部
２５  ドライバ
３０  点字列
３２  仮想枠
３３  仮想平面
３４（１）〜３４（５）  点字構成用の点
４３  転動体
５２  揺動台
５４、５５  ばね
【図１】
2004184691.tif 000003
【図２】
2004184691.tif 000004
【図３】
2004184691.tif 000005
【図４】
2004184691.tif 000006
【図５】
2004184691.tif 000007
【図６】
2004184691.tif 000008